(57)【要約】【課題】特定の位置の対象物を、個別に認識し易くした無線タグ所有物物体を得る。【解決手段】無線タグ所有物は、対象物本体と、この対象物本体に設けられた無線タグと、この対象物本体に対して取り付けられており、この対象物本体の前記無線タグに記憶されている識別情報に対応した表示情報を示した表示部とを有する。このために表示部の表示情報を確認しながら、無線タグを無線を媒体としてアクセスすることが可能となる。【選択図】      図１
2005128868.tif 000002
【特許請求の範囲】
【請求項１】
対象物本体と、
この対象物本体に設けられた無線タグと、
この対象物本体に対して取り付けられており、この対象物本体の前記無線タグに記憶されている識別情報に対応した表示情報を示した表示部と、
を有したことを特徴とする無線タグ所有物体。
【請求項２】
前記表示部の表示情報は、数字又は文字又は図形又模様又はバーコード又はこれらの組み合せであることを請求項１記載の無線タグ所有物体。
【請求項３】
対象物本体と、この対象物本体に設けられた無線タグと、この対象物本体に対して取り付けられており、この対象物本体の前記無線タグに記憶されている識別情報に対応した表示情報を示した表示部と、を有した無線タグ所有物体と、
前記表示部を読み取って、その表示情報から前記識別情報を認識する読み取り手段と、
前記読み取り手段が前記識別情報を認識したときに、この識別情報を有する前記無線タグを電波を媒体としてアクセスするアクセス手段と、
を具備したことを特徴とする無線タグ所有物体の特定装置。
【請求項４】
前記読み取り手段は、ビデオカメラであり、前記アクセス手段は、前記ビデオカメラに接続されたコントローラと、無線通信器であることを特徴とする請求項３記載の無線タグ所有物体の特定装置。
【請求項５】
前記アクセス手段は、ビデオカメラ内に含まれることを特徴とする請求項３記載の無線タグ所有物体の特定装置。
【請求項６】
前記無線通信器は、ビデオカメラから離れた遠隔に配置されていることを特徴とする請求項４記載の無線タグ所有物体の特定装置。
【請求項７】
前記表示部は、前記対象物に本来備わっている番号であることを特徴とする請求項３記載の無線タグ所有物体の特定装置。
【請求項８】
無線タグ所有物体が、対象物本体と、この対象物本体に設けられた無線タグと、この対象物本体に対して取り付けられており、この対象物本体の前記無線タグに記憶されている識別情報に対応した表示情報を示した表示部とを有し、
前記表示部を読み取って、その表示情報から前記識別情報を認識し、
前記識別情報を認識したときに、この識別情報を有する前記無線タグを電波を媒体としてアクセスするようにしたことを特徴とする無線タグ所有物体の特定方法。
【発明の詳細な説明】
【技術分野】
【０００１】
本発明は、無線タグ（ＲＦＩＤ；Radio Frequency Information Data tag）を有効に活用できるようにした、無線タグ所有物体とその特定方法と装置に関する。
【背景技術】
【０００２】
ＩＣチップとアンテナをペアにした無線タグが開発されている。無線タグは、無線タグと読み取り器（リーダ）との間で、電波を媒体とする無線でデータのやり取りを行うことができ、電子荷札として注目されている。無線タグは、リーダを近づけるとリーダからの電波により無線タグ側に起電力が生じ、この電力により回路が動作する。リーダと無線タグ間では、制御データの交換、データの読み取り、書き込み、消去処理などが可能である。
【特許文献１】特開平２００３−１１６１２７号
【発明の開示】
【発明が解決しようとする課題】
【０００３】
無線タグは微細（０．４ｍｍ程度）なものであり、チップ部面積が１ｍｍ以下となる。このために、この無線タグを取り付ける対象物は、種々の対象物が可能である。例えば、販売店における各種商品、工場における各種工程の中間部品などである。また中間部品にあっても非常に小さい部品が無線タグを取り付ける対象となってもよい。
【０００４】
ここで、例えば小型基板、或はＩＣ搭載部品などに無線タグを取り付けられるものとする。現在の工場では、上記の小型基板やＩＣ搭載部品は、搬送装置で搬送され、流れ作業の中で、加工工程、検査工程、振り分け工程、リペア工程などを通過する。そこで無線タグを所有する所有物が通過したときに、この所有物の無線タグ内のメモリ（例えば、数十ＫＢバイト、あるいは数十バイトから数百Ｋバイトの容量）に日付データ、あるいは検査結果データを書き込むことが要望される。無線交信エリアとしては、例えば直径１．５ｍ範囲、直径０．７ｍ範囲、直径５ｍ範囲程度のものが可能である。交信周波数としても種々であり、１３５ＫＨｚ、１３．５６ＭＨｚ、４３３ＭＨｚと８６０〜９３０ＭＨｚ、２．４５ＧＨｚのものが考えられている。上記のメモリ容量、交信エリア、交信周波数は、使用環境、目的に応じて任意に変更、選択される。
【０００５】
ところで、リーダが、特定の無線タグ所有物をアクセスしようとすると、多数の無線タグ所有物からの応答があるために、所望の無線タグ所有物を特定することができないという問題がある。これは、リーダと無線タグとの交信可能エリアが存在し、このエリア内に複数の無線タグ所有物が存在するからである。
【０００６】
そこでこの発明は、特定の位置の対象物を、個別に認識し易くした無線タグ所有物物体とその特定方法と装置を提供することを目的とする。
【課題を解決するための手段】
【０００７】
この発明の基本となる無線タグ所有物体は、対象物本体と、この対象物本体に設けられた無線タグと、この対象物本体に対して取り付けられており、この対象物本体の前記無線タグに記憶されている識別情報に対応した表示情報を示した表示部とを有したことを特徴とする。
【発明の効果】
【０００８】
上記のような構成によると、多数存在する対象物の中から、表示部の識別情報を読取ることで、この識別情報を有する対象物本体を特定することができる。
【発明を実施するための最良の形態】
【０００９】
以下この発明の実施の形態を図面を参照して説明する。図１には、本願発明の無線タグ所有物体の基本構成である外観を示している。無線タグ所有物体１００は、対象物本体１０と、対象物本体１０に設けられた無線タグ２０と、この対象物本体１０に対して取り付けられており、この対象物本体１０の前記無線タグ２０に記憶されている識別情報に対応した表示情報を示した表示部３０とを有する。
【００１０】
表示部３０の表示情報は、数字又は文字又は図形又模様又はバーコード又はこれらの組み合せである。さらには、透かし模様、透かし数字、図形などでもよい。したがって表示部３０は、情報が印刷されたラベルを貼り付けたものであってもよいし、さらには、印刷、あるいは刻印されてもよい。またカラーによる表示、蛍光体による表示であってもよい。
【００１１】
対象物本体１０は、管理を要する種々の対象物がある。例えば、基板、ＩＣユニットなどの工場における生産品、市場に出回る販売製品、衣類、靴、或は野菜、果物などの包装品、さらには、紙幣や硬貨などでもよい。
【００１２】
ここで、表示部３０により表示される情報（ＩＤ）は、同一対象物１０に設けられている無線タグ２０が有するＩＤと同一内容、若しくは対応する内容である。したがって、表示部３０によるＩＤを認識すれば、対象物１０を特定できることである。したがって、紙幣が対象物１０であった場合、表示部３０は、その紙幣に付されている番号が利用される。
【００１３】
無線タグは、リーダを近づけるとリーダからの電波により無線タグ側に起電力が生じ、この電力により回路全体が動作する。無線タグは、アンテナ、メモリ及び制御回路と、その駆動回路を有する。無線タグは、電源を有するもの或は充電可能なものであってもよい。
【００１４】
図２は、上記の無線タグ所有物体１００が、搬送経路でチェックされる場合の一例を示している。無線タグ所有物体１００が所定位置に搬送されてくると、例えば光検出器４０により、検知される。光検出器４０は、発光素子４１、受光素子４２で構成され、途中の光路が遮断されたときに、物体１００が搬送されてきたものと検出する。この検出信号は、コントローラ４００に送られる。
【００１５】
コントローラ４００は、検出信号が入力したとき、ビデオカメラ（撮像装置）３００（光学的な読み取り装置であればよいので、スキャナーであってもよい）を駆動し、無線タグ所有物体１００の撮像を行う。ビデオカメラ３００の向きは、表示部３０を捉えるような向きに配置されている。ビデオカメラ３００から出力される撮像信号は、コントローラ４００で解析される。つまり、撮像信号の中から、表示部３０の表示内容がデジタル処理により解析される。この解析結果、表示部３０に表示されているＩＤが認識される。コントローラ４００は、表示部３０のＩＤを、ディスプレイ５００に表示させることができる。
【００１６】
上記のように、認識されたＩＤを持つ無線タグ所有物体１００は、現在、特定の位置に存在することが確定される。このＩＤを持つ無線タグ所有物体１００の無線タグ２０をアクセスする必要があるかどうかが、コントローラ４００内で決定される。必要があれば、コントローラ４００は、無線通信器２００（リーダー・ライターとも称される）を制御する。無線通信器２００は、アンテナを有する。無線通信器２００を介して、無線タグ２０が所有するメモリ内の情報が読取られる、或はメモリに対する情報の書き込みが実行される。
【００１７】
ビデオカメラ３００は、読み取り手段として捉えることができる。コントローラ４００、無線通信器２００は、アクセス手段として捉えることができる。
【００１８】
図３には、コントローラ４００の動作例を示している。特定位置に対象物があることを検出すると（ステップＡＳ１）、表示部３０の読み取りを行う（ステップＡＳ２）。次にＩＤ内容の解析を行う（ステップＡＳ３）。ここで、対象物（実際には、この対象物に取り付けられている無線タグ）をアクセスする必要があるときは、検出したＩＤを利用し、交信情報を送る（ステップＡＳ４，ＡＳ５）。現在の対象物に対して必要な信号処理が終了したか否かを判定し、終了していれば、信号処理終了指令を対象物に向けて送る（ステップＡＳ７）。
【００１９】
図４には例えば無線通信器２００と、無線タグ２０がそれぞれ採用している周波数Ｆ１、Ｆ２と、交信が行われる際のデータフォーマットの一例を示している。無線通信器２００は、周波数Ｆ１で、同期クロック、ＩＤ，命令、データ長情報、データを送信する。また、無線タグ２０は、同期信号、自己の所有するＩＤ、応答内容が存在するかどうかを示す情報、そのデータ長の情報、データを送信することができる。他の無線タグもこのフォーマットを採用しており、ＩＤが異なるのみである。図4に示したフォーマットは、一例であり、さらに無線タグ、無線通信器及びその交信内容が、機能アップされた場合に対応するために、さらに各種の情報を持つフォーマットであってもよいことは勿論である。また、交信内容によっては、送信データに対してインターリーブ処理、或は暗号化処理、逆インターリーブ処理、暗号解読処理がなされてもよい。
【００２０】
図５には、無線タグ２０側における動作例を示している。周波数Ｆ１の信号がアンテナでピックアップされる。すると、送られてきた同期クロックに基づいて、内部クロックの同期を取り、続いて送られてきたＩＤ，命令、データをレジスタに取り込む（ステップＢＳ１）。次に受信したＩＤ（受信ＩＤ）を解析し、自己のＩＤ(所有ＩＤ)と比較する（ステップＢＳ２）。比較結果、不一致であれば何ら応答することなく初期状態に戻る（ステップＢＳ６）。
【００２１】
受信ＩＤと所有ＩＤとが一致した場合、受信した命令情報の解析を行い、これに基づいて受信したデータの解析を行う。例えば受信した命令情報が、データの書き込みを指令しているときは、受信したデータ内容を解析し、書き込むべきデータの確定、書き込む場所を示すアドレスの確定を行う。このアドレスが決まったら、そのアドレスへデータを書き込む。例えば受信した命令情報が、データの読み出しを指令しているときは、受信したデータ内容を解析し、読み出す場所を示すアドレスの確定を行う。このアドレスが決まったら、そのアドレスからデータを読み出し、図４のフォーマットで送信を実行する。そして、受信した命令に対する信号処理が終了したら、終了情報を送信する。
【００２２】
無線通信器２００が終了情報を受信したときは、図３のステップＡＳ６に移行し、必要な信号処理が終了しているかどうかを確認する。必要な信号処理が終了しているときは、信号処理終了指令信号を発する。ことのときは、搬送装置が動作し、次の対象物を検査状態に移行する。
【００２３】
なお上記したフォーマット及びフローチャートは、一例を示したものである。無線タグ所有物の管理内容に応じて、データ処理内容や手順は任意に変更される。また、通信フォーマットに関しても、これに限定されるものではなく、種々の形態が可能である。複数の周波数を用いて、複数種類のフォーマットのデータを送受信することも可能である。
【００２４】
図６には、この発明の他の実施例を示している。この例は、ビデオカメラ３００がコントローラ４００を内蔵している例である。またビデオカメラ３００は、光学系３０１として望遠レンズを有する。光学系３０１で集光された光学像は、撮像素子３０２（ＣＣＤあるいはＣＭＯＳトランジスタを用いた撮像素子）の受光面に結像される。結像は、光電変換されて撮像信号としてコントローラ４００に取り込まれる。
【００２５】
ここで、無線通信器２００は、遠隔地に配置されている。そしてこの無線通信器２００の近く（電波エリア）を、無線タグ所有物１０１−１０４が順次通過する環境となっている。例えば、無線タグを足環につけた野鳥が通過しても良く、また、走行車両などが通過してもよい。望遠レンズを通して、無線通信器２００近くを通過する無線タグ所有物を確認し、この対象物が所望の対象物であった場合は、無線タグがアクセスされるようになっている。
【００２６】
図７は、この発明のさらに他の実施の形態である。この例は、図６の実施の形態に比べて、光学系３０１が標準レンズである。そしてこの実施の形態では、ビデオカメラ３００の本体内に無線通信器２００も内蔵されている。
【００２７】
図８は、例えば図７に示したビデオカメラ３００を利用して、搬送路を移動する液晶基板、或は配線基板の無線タグに対して、データを書き込んだり、あるいは無線タグからデータを読み出したりする例である。データの書き込みとしては、検査した日時情報或は製造した日時情報を書き込む例、さらには点検した日時情報、さらには流通過程における通過場所、日時情報がある。データの読み出しとしては、回収された液晶基板、或は配線基板の無線タグに格納されている情報を読み出し、ヒストリーを読む、所謂トレーサビリティーが可能となる。図８は、基板Ｐ１，Ｐ２と交信し、続いて基板Ｐ３を確認し、基板Ｐ３と交信を行っている様子を示している。他の基板を誤ってアクセスすることが防止される。
【図面の簡単な説明】
【００２８】
【図１】本発明の無線タグ所有物の基本的な構成を示す図。
【図２】本発明の無線タグ所有物のアクセス装置の基本構成を示す図。
【図３】本発明の装置のコントローラにおける動作例を示すフローチャート。
【図４】本発明の装置で採用される交信データのフォーマットの例を示す図。
【図５】本発明の装置の無線タグにおける動作例を示すフローチャート。
【図６】本発明の他の例を示す図。
【図７】本発明のさらに他の例を示す図。
【図８】本発明の装置の使用例を示す図。
【符号の説明】
【００２９】
１００…無線タグ所有物、２００…無線通信器、３００…ビデオカメラ、４００…コントローラ、５００…ディスプレイ。
【図１】
2005128868.tif 000003
【図２】
2005128868.tif 000004
【図３】
2005128868.tif 000005
【図４】
2005128868.tif 000006
【図５】
2005128868.tif 000007
【図６】
2005128868.tif 000008
【図７】
2005128868.tif 000009
【図８】
2005128868.tif 000010